(57)【特許請求の範囲】
【請求項１】
扁平膨大状の先端部を有した一対のアームを有する雄部材と、
前記一対のアームが挿入される扁平開口である挿入口を一方の筒端に有した扁平筒状の雌部材とを備えるバックルにおいて、
前記一対のアームは、
前記一対のアームが含まれる平面に対向する平面視にて、当該一対のアームの先端部における厚みが前記挿入口の短手方向における開口幅よりも小さく、かつ、当該一対のアームの先端部における幅が前記挿入口の短手方向における開口幅よりも大きい形状を有し、
前記雄部材は、前記一対のアームの厚み方向に突出する被係止部を前記先端部に有し、
前記雌部材は、前記一対のアームの厚み方向に互いに対向した上板、および、下板と、前記上板の四隅と前記下板の四隅とを連結する４つの連結壁とを有し、当該上板もしくは下板の少なくとも一方の内表面には、前記被係止部との係合によって前記雄部材が該雌部材から脱離することを抑止する係止部と、前記挿入口から前記係止部まで前記被係止部を案内する案内溝とが形成され、
前記雌部材は、前記挿入口の長手方向に該挿入口を２分割する分割壁を有し、
前記被係止部は、前記一対のアームにおける互いに向かい合う端にそれぞれ設けられたものであり、
前記案内溝は、前記一対のアームの各々に設けられた一対の前記被係止部の各々を前記挿入口から前記係止部まで延びる溝側面に沿って案内するものであり、
前記一対のアームの各々における先端部の最大幅は、前記案内溝の溝側面と前記分割壁との距離よりも大きい
ことを特徴とするバックル。
【請求項２】
前記一対のアームの各々の先端部は、前記一対のアームが含まれる平面に対向する平面視にて先端に向かって先細りした傾斜面を有する
請求項１に記載のバックル。
【請求項３】
前記雄部材は、前記一対のアームを接続する接続部材を備える
請求項１または２に記載のバックル。
【発明の詳細な説明】
【技術分野】
【０００１】
本発明は、雌部材に雄部材が着脱自在に連結するバックルに関する。
【背景技術】
【０００２】
従来から、例えば特許文献１に記載のように、雄部材と雌部材とから構成されるバックルが知られている。
特許文献１に記載の雄部材には、先端に係合部を有した互いに面対称な形状である一対のアームが、基部から延びるように設けられている。また、各アームの中央には、直線状のセンターバーが、基部から延びるように設けられている。
【０００３】
一方、雌部材には、一対のアームが挿入される挿入口を有した扁平筒状の収容部が、上記一対のアーム及び上記センターバーが内部に収容されるように設けられている。また、この収容部の中央には、上記センターバーが収容される空間を形成する仕切り片が設けられている。また、雌部材の収容部における内側面には、雄部材の係合部に係合される係止凸部が形成されている。
【０００４】
このように構成されたバックルにおける連結動作では、まず、一対のアームが並ぶ方向と挿入口の長手方向とが一致するように雄部材と雌部材とが対向し、この状態から一対のアームが挿入口に差し込まれる。そして、一対のアームが収容部の内側面に案内されるとともに、センターバーが仕切り片に案内されることにより、雌部材の係止凸部に雄部材の係合部が係合されるようになる。これにより、雄部材の収容部に雌部材のアームが的確に案内され、雌部材に雄部材が誤った態様で挿入される、いわば誤組み付けが抑制されるようになる。
【先行技術文献】
【特許文献】
【０００５】
【特許文献１】特開２００２−１０１９１５号公報
【発明の概要】
【発明が解決しようとする課題】
【０００６】
ところで、特許文献１に記載のバックルにあっては上述のように、一対のアームが並ぶ方向と挿入口の長手方向とが一致する状態でアームの先端が収容部に挿入されることが前提とされている。すなわち、上記各アームや各アームを収容する収容部は、上述した状態で差し込み動作が行われることを前提として形成されたものでしかない。このため、一対のアームが並ぶ方向と挿入口の長手方向とが互いに異なる状態から雌部材の差し込み動作が行われる場合には、規定された組み付け位置とは異なる態様で雌部材の収容部に雄部材のアームが組み付けられることとなってしまう。この結果、雄部材と雌部材とにおける規定の連結構造をバックルにおいて担保することができず、バックルに求められる連結機能や分離機能を発揮することができなくなる虞があった。
【０００７】
なお、このような課題は、雄部材としてセンターバーを有さない構造であっても、概ね共通したものとなっている。
本発明は、こうした実情に鑑みてなされたものであり、雄部材と雌部材との組み付けの円滑化を図りつつ、雄部材と雌部材との誤組み付けを抑制することのできるバックルを提供することを目的とする。
【課題を解決するための手段】
【０００８】
こうした目的を達成するため、請求項１に記載の発明は、扁平膨大状の先端部を有した一対のアームを有する雄部材と、前記一対のアームが挿入される扁平開口である挿入口を一方の筒端に有した扁平筒状の雌部材とを備えるバックルにおいて、前記一対のアームは、前記一対のアームが含まれる平面に対向する平面視にて、当該一対のアームの先端部における厚みが前記挿入口の短手方向における開口幅よりも小さく、かつ、当該一対のアームの先端部における幅が前記挿入口の短手方向における開口幅よりも大きい形状を有し、前記雄部材は、前記一対のアームの厚み方向に突出する被係止部を前記先端部に有し、前記雌部材は、前記一対のアームの厚み方向に互いに対向した上板、および、下板と、前記上板の四隅の各々と前記下板の四隅の各々とを連結する４つの連結壁とを有し、当該上板もしくは下板の少なくとも一方の内表面には、前記被係止部との係合によって前記雄部材が該雌部材から脱離することを抑止する係止部と、前記挿入口から前記係止部まで前記被係止部を案内する案内溝とが形成され、前記雌部材は、前記挿入口の長手方向に該挿入口を２分割する分割壁を有し、前記被係止部は、前記一対のアームにおける互いに向かい合う端にそれぞれ設けられたものであり、前記案内溝は、前記一対のアームの各々に設けられた一対の前記被係止部の各々を前記挿入口から前記係止部まで延びる溝側面に沿って案内するものであり、前記一対のアームの各々における先端部の最大幅は、前記案内溝の溝側面と前記分割壁との距離よりも大きいことを要旨とする。
【０００９】
請求項１に記載のバックルによれば、挿入口に挿入される一対のアームは、一対のアームが含まれる平面に対向する平面視において、その先端部の厚みが挿入口の短手方向における開口幅よりも小さく、かつ、同先端部の幅が挿入口の短手方向における開口幅よりも大きい形状を有する。それゆえに、一対のアームの先端における厚み方向と挿入口における短手方向とが一致するような規定の方式で雄部材と雌部材とが組み付けられる際には、一対のアームが挿入口に挿入されることで雄部材と雌部材との係合を円滑に行なうことができる。一方、一対のアームの先端における厚み方向と挿入口における短手方向とが互いに異なるような規定外の方式で雄部材と雌部材とが組み付けられる際には、挿入口の短手方向における開口幅よりも各アームの先端部における幅が大きいために、構造上、各アームが挿入口に挿入されることが抑止される。すなわち、雄部材と雌部材とが誤った態様で係合されることが抑制される。このため、雄部材と雌部材との組み付けの円滑化を図りつつ、雄部材と雌部材との誤組み付けを抑制することができるようになる。
【００１１】
また、上記構成によれば、雌部材における挿入口の開口縁には、一対のアームを雌部材との係合位置まで案内する案内溝が形成される。また、被係止部を含んだ各アームの厚みは、案内溝が形成された領域での上記短手方向における開口幅よりも小さく、且つ案内溝の非形成領域での上記短手方向における開口幅よりも大きい。このため、雄部材と雌部材との組み付け時には、被係止部が案内溝に当接されながら上記係止部まで案内される。これにより、一対のアームが雌部材との係合位置まで的確に案内されることとなり、雄部材と雌部材との円滑な組み付けが実現される。
【００１２】
また、挿入口における案内溝が形成されていない領域では、挿入口の開口幅よりも被係止部を含めた各アームの厚みが大きくなる。このため、雌部材の水平方向から係止部に連通しない位置に各アームが挿入されることが抑制されることとなり、雄部材と雌部材との誤組み付けが好適に抑制されることとなる。
【００１４】
また、上記構成によれば、一対のアームが向かい合う端に被係止部が設けられるととも
に、一対のアームの先端における最大幅が上記分割壁により分割された各々の案内溝の溝幅よりも大きくなる。雄部材と雌部材とが誤って組み付けられる組み付けの態様には、一対のアームが含まれる平面においてずれた位置から各部材の組み付けが行われ、これに起因して、上記分割された挿入口に規定の組み付けアームとは異なる側のアームが挿入されるものがある。ただし、このような組み付けが行われる場合であっても、上述した構成によれば、規定の組み付けアームとは異なる側のアームが分割壁に当接する、あるいは該アームの被係止部が案内溝の非形成領域に当接するため、雄部材と雌部材との誤った態様での係合が挿入の途中で自ずと停止される。これにより、特に水平方向における組み付け位置のずれに起因する誤組み付けが好適に抑制されるようになる。しかも上述した構成によれば、先端部の厚みが被係止部において特に大きく、その被係止部の部位に基づき、先端における最大幅が規定される。そのため、一対のアームの先端部における厚み方向と挿入口における短手方向とが互いに異なるような規定外の方式の組み付けであれ、また水平方向における組み付け位置がずれた方式の組み付けであれ、先端部に突設された被係止部が雌部材の内部に入り込むことを確実に抑えることが可能である。
【００１５】
請求項２に記載の発明は、請求項１に記載のバックルにおいて、前記一対のアームの各々の先端部は、前記一対のアームが含まれる平面に対向する平面視にて先端に向かって先細りした傾斜面を有することを要旨とする。
【００１６】
上記構成によれば、先端に向かって先細りした先端部が上記挿入口の開口縁に摺接しながら一対のアームが雌部材に挿入されると、先細りした傾斜面の傾斜に倣って、一対のアームが雌部材の内部へ挿入される。また、先端に向かって先細りした先端部が上記分割壁に摺接しながら一対のアームが雌部材に挿入されると、これもまた先細りした傾斜面の傾斜に倣って、一対のアームの各々が本来位置するべき係合位置へ案内される。これにより、先端部の幅が挿入口の短手方向における開口幅よりも大きい形状としつつも、雄部材と雌部材との組み付けにかかるさらなる円滑化が図られるようになる。
【００１７】
請求項３に記載の発明は、請求項１または２に記載のバックルにおいて、前記雄部材は、前記一対のアームを接続する接続部材を備えることを要旨とする。
上記構成によれば、上記接続部材により一対のアームが接続される。このため、雄部材と雌部材とが規定の組み付け位置とは異なる態様で組み付けられようとしても、接続部材が雌部材の一方の筒端に当接される。これにより、雄部材と雌部材との誤組み付けをより確実に抑制することができる。また上記構成によれば、上記一対のアームが接続部材により支持される構造となる。これにより、雄部材としての構造上の安定化が図られるようになる。
【図面の簡単な説明】
【００１８】
【図１】本発明に係るバックルの一実施の形態について、その表側から見たバックルの斜視構造を示す斜視図。
【図２】同実施の形態に係るバックルの裏側から見た斜視構造を示す斜視図。
【図３】同実施の形態に係る雄部材の表側から見た斜視構造を示す斜視図。
【図４】同実施の形態に係る雄部材の裏側から見た斜視構造を示す斜視図。
【図５】同実施の形態に係る雌部材の表側から見た斜視構造を示す斜視図。
【図６】同実施の形態に係る雌部材の裏側から見た斜視構造を示す斜視図。
【図７】同実施の形態に係る雄部材の表側から見た平面視構造と雌部材を挿入方向から見た正面視構造とを示す図。
【図８】同実施の形態に係る雄部材及び雌部材の正面視構造を示す正面図。
【図９】同実施の形態に係る雄部材の表側から見た平面視構造と雌部材の表側から見た断面構造を示す平面図。
【図１０】同実施の形態に係る雄部材と雌部材との組み付け態様の一例を示す斜視図。
【図１１】同実施の形態に係る雄部材と雌部材との組み付け態様の一例を示す斜視図。
【発明を実施するための形態】
【００１９】
以下、本発明に係るバックルの一実施の形態について図を参照して説明する。まず、バックル１の全体構造について図１及び図２を参照して説明する。
バックル１の雄部材２における基部２１には、可撓性を有した左右一対の第１アーム２２ｒ及び第２アーム２２ｌによって構成されるアーム２２が該基部２１から延びるように形成されている。またバックル１の雌部材３は、扁平した筒状に形成され、扁平方向に広がる互いに対向した上板としての表壁３１と下板としての裏壁３２とを有している。この雌部材３における一方の筒端（図１及び図２における右側の筒端）には、一対のアーム２２が挿入される挿入口３Ｐが形成され、また他方の筒端には、挿入口３Ｐに対向した開放口３Ｄが形成されている。以下、挿入口３Ｐから開放口３Ｄに向けた方向を挿入方向とし、一対のアーム２２が並ぶ方向を左右方向する。またバックル１における表壁３１側を表側とし、バックル１における裏壁３２側を裏側とする。
【００２０】
図３及び図４に示されるように、雄部材２が有する一対のアーム２２の各々は、該一対のアーム２２が含まれる平面と対向する平面視において、先端寄りが膨大するかたちで扁平状に形成されている。また一対のアーム２２の先端部は、該アーム２２が含まれる平面と対向する平面視において、先端に向かって先細りした傾斜面２２Ｉを有している。傾斜面２２Ｉは、左右方向の内側に形成された内側傾斜面２２Ｉｉと、左右方向の外側に形成された外側傾斜面２２Ｉｏとによって構成されている。また右側のアーム２２における右側外表面、及び左側のアーム２２における左側外表面は、同じく一対のアーム２２が含まれる平面と対向する平面視において、その挿入方向における中間部分であるアーム係止部２２Ｓが左右方向の外側に張り出すように湾曲した形状を有している。
【００２１】
上述のような外形を有する一対のアーム２２の先端寄りには、該アーム２２の厚み方向に突出する被係止部２３がそれぞれ形成されている。被係止部２３は、アーム２２が向かい合う端にあって、該アーム２２の表面に突設された第一の被係止凸部として一対の表側凸部２３Ｆと、アーム２２の裏面に突設された第二の被係止凸部としての裏側凸部２３Ｂとによって構成されている。また一対のアーム２２の先端寄りには、断面が菱形状を成してアーム２２が延びる方向（上記挿入方向）に延びるアーム孔２４が該アーム２２の表側から裏側までを貫通するように形成されている。そして一対のアーム２２が含まれる平面に対して面対称となるように、すなわち表側から見た一対のアーム２２の構造と裏側から見た一対のアーム２２の構造とが同一となるように、雄部材２は形成されている。なお、上述したようなアーム孔２４が一対のアーム２２の各々に設けられているため、アーム２２の強度が確保されつつ、雄部材２が例えば樹脂成型によって形成される際には、ひけが発生してしまうことを回避することが可能である。
【００２２】
ちなみに、アーム２２の基端寄りにおける表面及び裏面には、それぞれ基端位置決めリブ２７が配設され、またアーム２２の先端寄りにおける表面及び裏面には、それぞれ先端位置決めリブ２８が配設されている。このような位置決めリブが形成された構成では、雌部材３に雄部材２が連結される際に、一対のアーム２２の外表面と雌部材３の内表面との距離が、基端位置決めリブ２７及び先端位置決めリブ２８が形成された部位、すなわち一対のアーム２２における基端と先端とで特に短くなる。そのため、雌部材３に雄部材２が連結された状態では、バックル１の厚み方向において、雌部材３に対する雄部材２の位置
ずれ（がたつき）を抑えることが可能である。
【００２３】
一対のアーム２２において互いに対向する内側面には、一対のアーム２２を互いに繋ぐ可撓性を有した帯状の接続部材としてのブリッジ２５が、アーム２２の先端寄りであって、かつ被係止部２３よりも基端寄りに形成されている。このブリッジ２５における両端部２５ａの各々は、一方のアーム２２から他方のアーム２２に向けて延びるように形成されている。詳述すると、一方のアーム２２に接続されるブリッジ２５の端部２５ａは、該アーム２２に外力が加えられていない状態（図３及び図４に示される状態）で、該アーム２２の基端を中心として該アーム２２とブリッジ２５との接続部が描く円弧Ｃの接線方向と一致するように形成されている。またブリッジ２５における中間部２５ｂは、一方のアーム２２と他方のアーム２２との中間において基部２１側に湾曲するように形成されている。このため、一対のアーム２２に対する過度の外力が該一対のアーム２２の間隔を広げる方向に作用する場合であっても、一対のアーム２２の各々とブリッジ２５との接続部にはせん断力が発生し難くなる。なお、基部２１に対してアーム２２とは反対側には、バックル１によって締結されるベルトがその長さを可変にするように保持されるベルト保持部２６が架設されている。
【００２４】
図５及び図６に示されるように、雌部材３における表壁３１は、表側から見てＸ字状を成すとともに、内側に湾曲した四つの縁によって囲まれている。また雌部材３における裏壁３２は、裏側から見てＸ字状を成すとともに、内側に湾曲した四つの縁によって囲まれている。これら雌部材３を構成する表壁３１の四隅と裏壁３２の四隅において、挿入口３Ｐ寄りの一対の挿入側連結壁ＷＰと開放口寄りの一対の開放側連結壁ＷＤとによって表壁３１と裏壁３２とが互いに連結されている。さらに一対の挿入側連結壁ＷＰにおける内表面には、雌部材３に雄部材２が連結された状態で一対のアーム２２の基端における外表面と整合するようなガイド面ＷＰａが形成されている。そして雌部材３の挿入方向における一方の筒端には、挿入方向と平行な方向から見て矩形状の挿入口３Ｐが、上記表壁３１、裏壁３２、及び挿入側連結壁ＷＰによってその四辺を縁取られるかたちに形成されている。また雌部材３の挿入方向における他方の筒端には、挿入方向と平行な方向から見て矩形状の開放口３Ｄが、上記表壁３１、裏壁３２、及び開放側連結壁ＷＤによってその四辺を縁取られるかたちに形成されている。
【００２５】
雌部材３が有する挿入口３Ｐの開口縁には、表壁３１において挿入口３Ｐ寄りの縁である表側挿入縁３１ｐと、裏壁３２において挿入口３Ｐ寄りの縁である裏側挿入縁３２ｐとが含まれている。
【００２６】
これら表側挿入縁３１ｐ及び裏側挿入縁３２ｐは、それぞれ開放口３Ｄに向けて張り出すように湾曲した形状を有して、表壁３１の外表面及び裏壁３２の外表面と対向する平面視において互いに重なるように形成されている。また表壁３１の外表面及び裏壁３２の外表面と対向する平面視においては、表側挿入縁３１ｐ及び表側開口縁３１ｄが一対のアーム２２の外形に倣うように、表壁３１及び裏壁３２の外形が形成されている。そして雌部材３に雄部材２が連結された状態では、上記一対のアーム２２が含まれる平面に対して面対称となるように、挿入口３Ｐが形成されている。このような構成によれば、雌部材３に雄部材２が連結された状態において、雄部材２と雌部材３との機能的な一体感に基づく美観が高められる。また、このような構成からなる挿入口３Ｐによれば、雌部材３における挿入口３Ｐと一対のアーム２２における先端部とが互いに面対称であるため、雌部材３に雄部材２が連結される際に、一対のアーム２２が挿入口３Ｐに挿入されやすくなる。
【００２７】
一方、雌部材３が有する開放口３Ｄの開口縁には、表壁３１において開放口３Ｄ寄りの縁である表側開口縁３１ｄと、裏壁３２において開放口３Ｄ寄りの縁である裏側開口縁３２ｄとが含まれている。そして雌部材３に雄部材２が連結された状態では、上記一対のア
ーム２２が含まれる平面に対して非対称となるように、開放口３Ｄが形成されている。
【００２８】
詳述すると、上記表側開口縁３１ｄは、挿入口３Ｐに向けて張り出すように湾曲した形状を有している。また表壁３１の外表面と対向する平面視においては、表側挿入縁３１ｐ及び表側開口縁３１ｄが一対のアーム２２の外形に倣うように、表壁３１の外形が形成されている。そして雌部材３に雄部材２が連結された状態では、表壁３１の外表面と対向する平面視において、開放口３Ｄから上記一対のアーム２２が露出しないように、表壁３１が形成されている（図１及び図２参照）。このような構成によれば、上記挿入口３Ｐと同じく、雌部材３に雄部材２が連結された状態において、雄部材２と雌部材３との機能的な一体感に基づく美観が高められる。
【００２９】
また裏側開口縁３２ｄも、上記表側開口縁３１ｄと同じく、挿入口３Ｐに向けて張り出すように湾曲した形状を有している。しかも裏側開口縁３２ｄは、裏壁３２の外表面と対向する平面視において、上記表側開口縁３１ｄよりも挿入口３Ｐに向けてさらに窪んだ係止縁３２Ｓを有している。この係止縁３２Ｓは、裏壁３２の外表面と対向する平面視において、挿入口３Ｐに最も近い縁であって左右方向に延びる底縁と、該底縁における左右方向の両端から挿入方向に延びる一対の側縁とから構成されている。そして雌部材３に雄部材２が連結された状態では、裏壁３２の外表面と対向する平面視において、上記係止縁３２Ｓが形成される分、開放口３Ｄから上記一対のアーム２２が露出するようになる。
【００３０】
なお、雌部材３に雄部材２が連結された状態では、上記係止縁３２Ｓを構成する底縁と上記一対の裏側凸部２３Ｂとが当接し、かつ上記一対の裏側凸部２３Ｂのみが係止縁３２Ｓから露出するように、裏壁３２は形成されている（図１及び図２参照）。そして雌部材３に雄部材２が連結される状態では、上記一対のアーム２２が有する裏側凸部２３Ｂが係止縁３２Ｓの底縁に当接して、該裏側凸部２３Ｂが挿入口３Ｐ側へ移動し難くなる。すなわち、係止縁３２Ｓと一対の裏側凸部２３Ｂとの係合によって２雄部材が雌部材３から脱離することが係止される。このような構成によれば、開放口３Ｄの一部が裏側凸部２３Ｂに対する係止部として機能することになるため、このような係止部が別途形成される構成と比較して、雌部材３の構成をより簡便なものとすることが可能である。
【００３１】
表壁３１における内表面には、図６に示されるように、挿入方向に延びる表側案内溝３６が形成されている。表側案内溝３６は、表側挿入縁３１ｐから開放口３Ｄに向けて溝幅が一定の割合で狭くなるように形成された表側挿入溝３６ａと、上記表側挿入溝３６ａの開放口３Ｄ側に拡開された係止溝３６Ｓとを有している。この係止溝３６Ｓを構成する溝側壁は、裏壁３２の外表面と対向する平面視において、上述した係止縁３２Ｓと重なるように形成されている。そして雄部材２が雌部材３に挿入される際には、上記一対のアーム２２が有する表側凸部２３Ｆが、表側挿入溝３６ａの溝側壁に摺接して係止溝３６Ｓまで案内される。そして雌部材３に雄部材２が連結される状態では、上記一対のアーム２２の表側凸部２３Ｆが係止溝３６Ｓの溝側壁に当接して、該表側凸部２３Ｆが挿入口３Ｐ側へ移動し難くなる。
【００３２】
また裏壁３２における内表面には、図５に示されるように、挿入方向に延びる裏側案内溝３７が形成されている。裏側案内溝３７は、裏側挿入縁３２ｐから係止縁３２Ｓまで溝幅が狭くなるように形成されている。この裏側案内溝３７を構成する溝側壁は、裏壁３２の外表面と対向する平面視において、上述した表側挿入溝３６ａと重なるように形成されている。そして雄部材２が雌部材３に挿入される際には、上記一対のアーム２２が有する裏側凸部２３Ｂが、裏側案内溝３７の溝側壁に摺接して係止縁３２Ｓまで案内される。
【００３３】
さらに雌部材３には、上述した挿入口３Ｐ及び開放口３Ｄに加え、上記挿入方向と直交する方向において互いに対向する一対のアーム挿通孔ＳＨが形成されている。一対のアー
ム挿通孔ＳＨは、左右方向と平行な方向から見て、表壁３１、裏壁３２、挿入側連結壁ＷＰ、及び開放側連結壁ＷＤによって四辺を縁取られた矩形状に形成されている。また一対のアーム挿通孔ＳＨの開口縁は、上述した一対のアーム２２が有するアーム孔２４の内周面２４ａに倣うかたちに形成されている。
【００３４】
また雌部材３の内部には、上記表側案内溝３６における左右方向の中央と上記裏側案内溝３７における左右方向の中央とを連結する分割壁３８が挿入方向に延びるように形成されている。そして、この分割壁３８によって、挿入口３Ｐがその長手方向に２分割されるとともに、雌部材３の内部空間Ｓが左右方向に２分割される。これにより、雌部材３の内部には、一対のアーム２２ｒ及び２２ｌが各別に収容される第１収容空間Ｓｒと第２収容空間Ｓｌが形成されることとなる。なお、本実施の形態のバックル１では、該バックル１を表側から見たとき、第１収容空間Ｓｒ及び第２収容空間Ｓｌの各々に左右一対のアーム２２ｒ及び２２ｌが収容され、係止縁３２Ｓと被係止部２３とが係合される状態が、雄部材２と雌部材３との規定の組み付け位置とされる。また、このような構成からなる分割壁３８が形成されることによって、雌部材３における表壁３１が撓んだり裏壁３２が撓んだりすることが抑えられるようになっている。さらに、雌部材３における挿入方向の端部には、バックル１によって締結されるベルトがその長さを変更不可能なように取り付けられるベルト取り付け部３９が設けられている。このベルト取り付け部３９には、バックル１の軽量化を図るべく、３個の有底穴が設けられている。
【００３５】
次に、雄部材２及び雌部材３の構造をそれら雄部材２及び雌部材３の対比のもとに図７〜図９を参照して詳述する。なお、図７は、雄部材２の平面視構造と、挿入方向から見た雌部材３の正面視構造とを対比して示したものである。図８は、一対のアーム２２側の突出方向から見た雄部材２の正面視構造と、挿入方向から見た雌部材３の正面視構造とを対比して示したものである。図９は、雄部材２の平面視構造と、雌部材３の平面視構造とを対比して示したものである。
【００３６】
図７に示すように、雄部材２を構成する一対のアーム２２は、アーム係止部２２Ｓから内側端までの幅Ｄ１が、雌部材３の挿入口３Ｐの短手方向における開口幅Ｄ２よりも十分に大きくなるように形成されている。このため、一対のアーム２２は、上記平面視において、その先端部の幅が挿入口３Ｐの短手方向における開口幅Ｄ２よりも大きい形状を有している（Ｄ１＞Ｄ２）。このような構成によれば、一対のアーム２２の先端における厚み方向（図７の例ではＸ方向）と挿入口３Ｐにおける短手方向（図７の例ではＹ方向）とが互いに異なるような規定外の方式で雄部材２と雌部材３とが組み付けられる際には、一対のアーム２２が挿入口３Ｐに挿入される途中で一対のアーム２２の外側傾斜面２２Ｉｏや内側傾斜面２２Ｉｉが表側挿入縁３１ｐや裏側挿入縁３２ｐに当接される。この結果、規定外の方式で挿入口３Ｐに一対のアーム２２が挿入された場合には、一対のアーム２２の各々が挿入口３Ｐに挿入される途中で停止され、雄部材２と雌部材３とが誤った態様で係合されることが抑制されることとなる。
【００３７】
また、図８に示すように、雄部材２を構成する一対のアーム２２の先端は、被係止部２３が形成された領域における厚みＤ３が、表側案内溝３６及び裏側案内溝３７が形成された領域での挿入口３Ｐの短手方向における開口幅Ｄ４よりも小さくなるように形成されている（Ｄ３＜Ｄ４）。また同様に、一対のアーム２２の先端は、被係止部２３が形成された領域における厚みＤ３が、表側案内溝３６及び裏側案内溝３７が形成されていない領域での挿入口３Ｐの短手方向における開口幅Ｄ５よりも大きくなるように形成されている（Ｄ３＞Ｄ５）。
【００３８】
一方、一対のアーム２２の先端において、被係止部２３が形成されていない領域における厚みＤ６は、表側案内溝３６及び裏側案内溝３７が形成されていない領域での挿入口３
Ｐの短手方向における開口幅Ｄ５よりも小さくなるように形成されている（Ｄ６＜Ｄ５）。
【００３９】
このような構成によれば、雄部材２と雌部材３との組み付け時には、表側凸部２３Ｆ及び裏側凸部２３Ｂは、挿入方向に向かって溝幅が漸次狭くなる表側案内溝３６及び裏側案内溝３７に当接されながら係止縁３２Ｓまで案内されるため、一対のアーム２２が雌部材３との係合位置まで的確に案内される。
【００４０】
また、一対のアーム２２が含まれる平面においてずれた位置から雄部材２と雌部材３との組み付けが行われた場合には、挿入口３Ｐにおける表側案内溝３６及び裏側案内溝３７が形成されていない領域では、表側凸部２３Ｆ及び裏側凸部２３Ｂが表側挿入縁３１ｐや裏側挿入縁３２ｐに当接することとなる。このため、雌部材３の水平方向から係止縁３２Ｓに連通しない位置に一対のアーム２２が挿入されることが抑制されることとなり、雄部材２と雌部材３との誤組み付けが好適に抑制されることとなる。
【００４１】
また、図９に示すように、一対のアーム２２の各々は、それらの先端部における最大幅となるアーム係止部２２Ｓから内側端までの幅Ｄ１が、表側案内溝３６及び裏側案内溝３７の溝側面と分割壁３８との左右方向における最大距離Ｄ７よりも十分に大きくなるように形成されている（Ｄ１＞Ｄ７）。これにより、一対のアーム２２の先端部の最大幅Ｄ１は、挿入口３Ｐから開放口３Ｄ側に形成された係止縁３２Ｓに至るまでの各案内溝３６及び３７の溝側面と分割壁３８とのいずれの距離よりも大きくなっている。
【００４２】
このため、図９に示されるように、一対のアーム２２が含まれる平面においてずれた位置から雄部材２と雌部材３との組み付けが行われることにより、第２収容空間Ｓｌに対する組み付け用のアームとして規定されている第２アーム２２ｌとは異なる側の第１アーム２２ｒが挿入された場合でも、その途中で第１アーム２２ｒの先端が分割壁３８に当接される。このため、雄部材２と雌部材３との誤った態様での係合が挿入の途中で自ずと停止され、水平方向における組み付け位置のずれに起因する誤組み付けが抑制されるようになる。
【００４３】
そして図１０に示されるように、一対のアーム２２の先端における厚み方向と挿入口３Ｐにおける短手方向とが一致するような規定の方式で一対のアーム２２が挿入口３Ｐから挿入方向に挿入されると、まずアーム２２の外表面がガイド面ＷＰａに摺接しつつ、一対のアーム２２の先端が雌部材３の内部に進入する。次いでアーム２２の表面に突設された一対の表側凸部２３Ｆが表側挿入溝３６ａに沿って係止溝３６Ｓまで案内される。またアーム２２の裏面に突設された一対の裏側凸部２３Ｂが裏側案内溝３７に沿って開放口３Ｄまで案内される。
【００４４】
この際、被係止部２３が形成された領域における一対のアーム２２の先端部の厚みＤ３が、挿入口３Ｐの短手方向において、表側案内溝３６及び裏側案内溝３７が形成された領域での開口幅Ｄ４よりも小さく、かつ表側案内溝３６及び裏側案内溝３７の未形成領域での開口幅Ｄ５よりも大きくなるように形成されたことにより（Ｄ５＜Ｄ３＜Ｄ４）、被係止部２３が表側案内溝３６及び裏側案内溝３７の溝側面に摺接されながら各々の一対のアーム２２を開放口３Ｄまで案内する。
【００４５】
そして、外側傾斜面２２Ｉｏがガイド面ＷＰａに摺接されながら開放口３Ｄ側に案内されることによって、一対のアーム２２は、外側傾斜面２２Ｉｏに倣って開放口３Ｄまで案内される。また同様に、内側傾斜面２２Ｉｉが上記分割壁３８に摺接されながら開放口３Ｄ側に案内されることによって、一対のアーム２２は、外側傾斜面２２Ｉｏに倣って開放口３Ｄまで案内される。このように、一対のアーム２２が挿入口３Ｐに挿入される過程で
は、外側傾斜面２２Ｉｏ及び内側傾斜面２２Ｉｉと、各案内溝３６及び３７並びに分割壁３８との協働によって、一対のアーム２２の各々を挿入口３Ｐの挿入方向へと誘導する力が作用することとなる。これにより、一対のアーム２２の先端部の幅Ｄ１が挿入口３Ｐの短手方向における開口幅よりも大きい形状でありながらも、各々のアーム２２が雌部材３との係合位置へと円滑に案内されるようになる。
【００４６】
また、一対のアーム２２の各々における外表面は、アーム係止部２２Ｓにおいて左右方向の外側に張り出すような形状を有する。そして一対の挿入側連結壁ＷＰにおけるガイド面ＷＰａは、一対のアーム２２の基端における外表面と整合する形状を有している。そのため、一対のアーム２２が雌部材３に挿入されると、一対のアーム２２の各々における外表面がガイド面ＷＰａよりも外側に張り出す分、アーム２２の外表面がガイド面ＷＰａによって左右方向の中央寄りに押されることとなる。その結果、アーム係止部２２Ｓがガイド面ＷＰａに位置するときに、一対のアーム２２が左右方向の中央寄りに最も大きく撓むようになる。そしてアーム係止部２２Ｓがガイド面ＷＰａを通過すると、アーム２２の外表面に対するガイド面ＷＰａの押込みが解除されて、一対のアーム２２における撓みが表側挿入溝３６ａ及び裏側案内溝３７の案内に従うものとなる。なお、上述のように、表側挿入溝３６ａ及び裏側案内溝３７の溝幅は、挿入口３Ｐから開放口３Ｄに向けて一定の割合で狭くなるように形成されている。そのため、上記表側挿入溝３６ａ及び裏側案内溝３７の案内に従って一対のアーム２２が挿入される間、一対のアーム２２は左右方向の中央寄りに一定の割合で撓みながら雌部材３の内部へ進入するようになる。このような構成によれば、アーム係止部２２Ｓがガイド面ＷＰａを通過する際にアーム２２に対する外力が一旦増えることになるため、アーム係止部２２Ｓとガイド面ＷＰａとの係合によって、一対のアーム２２を雌部材３に仮止めすることが可能である。
【００４７】
そして一対のアーム２２が雌部材３に挿入され続けると、表側凸部２３Ｆが係止溝３６Ｓに到達し、裏側凸部２３Ｂが開放口３Ｄに到達する。すると、係止溝３６Ｓが表側挿入溝３６ａから拡開されているため、また係止縁３２Ｓが裏側案内溝３７から拡開されているため、左右方向の中央寄りに撓んでいた一対のアーム２２が、これら係止溝３６Ｓの形状及び係止縁３２Ｓの形状に従って互いに左右方向の外側に広がる。これによって、表側凸部２３Ｆが係止溝３６Ｓの溝側壁に当接して、該表側凸部２３Ｆが挿入口３Ｐ側へ移動し難くなる。また裏側凸部２３Ｂが係止縁３２Ｓの底縁に当接して、該裏側凸部２３Ｂが挿入口３Ｐ側へ移動し難くなる。そして雌部材３に雄部材２が連結される。
【００４８】
一方、図１１に示されるように、一対のアーム２２の先端における厚み方向と挿入口３Ｐにおける短手方向とが互いに異なる規定外の方式で一対のアーム２２が挿入口３Ｐから挿入方向に挿入されると、まず一対のアーム２２の先端における外側傾斜面２２Ｉｏ及び内側傾斜面２２Ｉｉが表側挿入縁３１ｐや裏側挿入縁３２ｐに当接される。そして、一対のアーム２２を挿入口３Ｐに挿入させようとする力がさらに加えられたとしても、一対のアーム２２の先端部の幅が挿入口３Ｐの短手方向における開口幅Ｄ２よりも十分に大きな形状を有しているために、一対のアーム２２の先端部が挿入口３Ｐに挿入されることがその途中で抑止される。これにより、雄部材２と雌部材３とが誤った態様で係合されることが抑制されることとなる。
【００４９】
以上説明したように、本実施の形態に係るバックルによれば、以下に列記するような効果が得られるようになる。
（１）挿入口３Ｐに挿入される一対のアーム２２を、該一対のアーム２２が含まれる平面に対向する平面視において、その先端部の厚みが挿入口３Ｐの短手方向における開口幅Ｄ２よりも小さく、かつ、同先端部の幅が挿入口の短手方向における開口幅Ｄ２よりも大きい形状とした。それゆえに、一対のアーム２２の先端における厚み方向と挿入口における短手方向とが一致する規定の方式で雄部材２と雌部材３とが組み付けられる際には、一
対のアーム２２が挿入口３Ｐに挿入されることで雄部材２と雌部材３との係合を円滑に行なうことができる。一方、一対のアーム２２の先端における厚み方向と挿入口における短手方向とが互いに異なる規定外の方式で雄部材２と雌部材３とが組み付けられる際には、挿入口の短手方向における開口幅Ｄ２よりも各アームの先端部における幅が大きいために、構造上、各アーム２２が挿入口３Ｐに挿入されることが抑止され、雄部材２と雌部材３とが誤った態様で係合されることが抑制される。このため、雄部材２と雌部材３との組み付けの円滑化を図りつつ、雄部材２と雌部材３との誤組み付けを抑制することができるようになる。
【００５０】
（２）雌部材３における挿入口３Ｐの開口縁から開放口３Ｄにかけて、一対のアーム２２を雌部材３との係合位置まで案内する表側挿入縁３１ｐと裏側挿入縁３２ｐとを形成した。そして、被係止部２３を含んだ各アーム２２の厚みＤ３を、表側案内溝３６及び裏側案内溝３７が形成された領域での挿入口３Ｐの短手方向における開口幅Ｄ４よりも小さく、かつ表側案内溝３６及び裏側案内溝３７の非形成領域での上記短手方向における開口幅Ｄ５よりも大きくなるように形成した。このため、雄部材２と雌部材３との組み付け時には、被係止部２３が表側案内溝３６及び裏側案内溝３７における溝側面に摺接されながら係止縁３２Ｓまで案内される。これにより、一対のアーム２２が雌部材３との係合位置まで的確に案内されることとなり、雄部材２と雌部材３との円滑な組み付けが実現される。
【００５１】
また、挿入口３Ｐにおける表側案内溝３６及び裏側案内溝３７が形成されていない領域では、挿入口３Ｐの短手方向における開口幅Ｄ５よりも被係止部２３を含めた各アームの厚みＤ３が大きくなる。このため、雌部材３の水平方向から係止縁３２Ｓに連通しない位置に各アーム２２が挿入されることが抑制されることとなり、雄部材２と雌部材３との誤組み付けが好適に抑制されることとなる。
【００５２】
（３）被係止部２３を一対のアーム２２が向かい合う端に設けるとともに、各アーム２２の先端における最大幅Ｄ１を分割壁３８により分割された表側案内溝３６及び裏側案内溝３７の溝幅よりも大きくなるように形成した。このため、雄部材２と雌部材３との誤組み付けの一態様として、一対のアーム２２が含まれる平面においてずれた位置から挿入口３Ｐに一対のアーム２２が挿入された場合には、規定の組み付けアーム２２ｒ（２２ｌ）とは異なる側のアーム２２ｌ（２２ｒ）が分割壁３８に当接する。あるいは、各アーム２２の被係止部２３が、表側案内溝３６や裏側案内溝３７の非形成領域に当接する。このように上記構成によれば、各部材の当接により、雄部材２と雌部材３との誤った態様での係合が挿入の途中で自ずと停止される。これにより、特に水平方向における組み付け位置のずれに起因する誤組み付けが好適に抑制されるようになる。
【００５３】
しかも上述した構成によれば、アーム２２における先端部の厚みが被係止部２３において定められ、その被係止部２３の部位に基づき、先端部における最大幅Ｄ１が定められる。そのため、一対のアーム２２の先端における厚み方向と挿入口３Ｐにおける短手方向とが互いに異なるような規定外の方式の組み付けであれ、また水平方向における組み付け位置がずれた方式の組み付けであれ、アーム２２の先端部に突設された被係止部２３が雌部材３の内部に入り込むことを確実に抑えることが可能である。
【００５４】
（４）一対のアーム２２の各々の先端部に、該一対のアーム２２が含まれる平面に対向する平面視にて先端に向かって先細りした外側傾斜面２２Ｉｏ及び内側傾斜面２２Ｉｉを形成した。これにより、一対のアーム２２は、その先端における外側寄りに形成された外側傾斜面２２Ｉｏがガイド面ＷＰａに摺接されながら開放口３Ｄ側に案内されることにより、該外側傾斜面２２Ｉｏに倣って開放口３Ｄまで案内される。また、一対のアーム２２は、その先端における内側寄りに形成された内側傾斜面２２Ｉｉが上記分割壁３８に摺接されながら開放口３Ｄ側に案内されることにより、該外側傾斜面２２Ｉｏに倣って開放口
３Ｄまで案内される。これにより、一対のアーム２２の先端部の幅Ｄ１が挿入口３Ｐの短手方向における開口幅Ｄ２よりも大きい形状でありながらも、各々のアーム２２が雌部材３との係合位置へと円滑に案内されるようになる。また、このような構成によれば、表側案内溝３６及び裏側案内溝３７による被係止部２３を介した各アーム２２の案内と挿入口３Ｐのガイド面ＷＰａによる外側傾斜面２２Ｉｏを介した各アーム２２の案内との相乗効果により、より的確かつ円滑に雄部材２と雌部材３との係合を行なうことができるようになる。
【００５５】
（５）左右一対のアーム２２ｒ及び２２ｌを、接続部材であるブリッジ２５により接続することとした。このため、雄部材２と雌部材３とが規定の組み付け位置とは異なる態様で組み付けられようとしても、ブリッジ２５が雌部材３の表側挿入縁３１ｐや裏側挿入縁３２ｐに当接される。これにより、雄部材２と雌部材３との誤組み付けをより確実に抑制することができる。また上記構成によれば、一対のアーム２２がブリッジ２５により支持される構造となる。これにより、雄部材２としての構造上の安定化が図られるようになる。
【００５６】
なお、上記実施の形態は、以下のような態様をもって実施することもできる。
・図３及び図４に示されるように、ブリッジ２５における中間部２５ｂを、一方のアーム２２と他方のアーム２２との中間において基部２１に向けて凸状に湾曲するように形成したがこれに限らず、一対のアーム２２の先端に向けて凸状に湾曲するように形成してもよい。この場合、雌部材３に設けた分割壁３８とブリッジ２５とが干渉しないようにする必要がある。
【００５７】
・雄部材２にブリッジ２５が配設されるようにしたがこれに限らず、ブリッジ２５を設けないようにしてもよい。例えば一対のアーム２２の間に、基部２１からアーム２２の挿入方向に向けて突出するとともに、アーム２２を雌部材３に挿入する際に雄部材２を案内する機能を備えたいわゆるセンターバーを設けるようにしてもよい。このようにしても、アーム２２の間隔を広げようとする外力がアーム２２に作用し難くすることができる。この場合、雌部材３の内部には、分割壁３８の代わりに上記センターバーを案内するセンターバー案内部を分割壁３８が設けられていた位置に配設することが必要となる。
【００５８】
・一対のアーム２２の各々の先端部に、該一対のアーム２２が含まれる平面に対向する平面視にて先端に向かって先細りした外側傾斜面２２Ｉｏ及び内側傾斜面２２Ｉｉを形成した。これに限らず、外側傾斜面２２Ｉｏあるいは内側傾斜面２２Ｉｉのみを一対のアーム２２の各々の先端部に形成するようにしてもよい。そのため、上記（４）に準じた効果を得つつ、雄部材２の構成を簡単なものにすることが可能である。またこの他、一対のアーム２２の先端部の形状は、該一対のアーム２２が含まれる平面に対向する平面視にて先端に向かって先細りする所定の曲率を有した断面半楕円形状であってもよい。このような構成によっても、上記（４）に準じた効果を得ることができる。またこの他、一対のアーム２２の先端部の形状は、扁平膨大状となる形状であればよく、一対のアーム２２が含まれる平面に対向する平面視にて、該一対のアーム２２の先端部における厚みが挿入口３Ｐの短手方向における開口幅よりも小さく、かつ、一対のアーム２２の先端部における幅が挿入口３Ｐの短手方向における開口幅よりも大きい形状であればよい。
【００６０】
・また、被係止部２３は、一対のアーム２２の先端部のうち係止縁３２Ｓに係合可能な位置に設けられるものであればよく、例えば一対のアーム２２の先端部の中央寄り、あるいは、外側端に設けるようにしてもよい。
【００６１】
・雌部材３の表壁３１における内表面に、表側挿入縁３１ｐから開放口３Ｄに向けて溝幅が一定の割合で狭くなるように形成された表側案内溝３６を形成した。また、雌部材３の裏壁３２における内表面に、裏側挿入縁３２ｐから開放口３Ｄに向けて溝幅が一定の割合で狭くなるように形成された裏側案内溝３７を形成した。これに限らず、例えば表側挿入縁３１ｐ及び裏側挿入縁３２ｐから開放口３Ｄに向けて所定の曲率のもとに溝幅が小さくなる溝を、雌部材３の表壁３１もしくは裏壁３２における内表面に形成してもよい。この場合でも、上述した上記（２）に準じた効果を得ることが可能である。
【００６２】
またこの他、表側挿入縁３１ｐ及び裏側挿入縁３２ｐから開放口３Ｄに向けて直線状に延びる溝幅が一定な溝を、雌部材３の表壁３１もしくは裏壁３２における内表面に形成してもよい。要は、雌部材３の表壁３１もしくは裏壁３２の内表面に形成される溝とは、一対のアーム２２の先端部の厚み方向に形成された被係止部２３を挿入口３Ｐから係止縁３２Ｓまで案内可能な形状であればよい。
【００６３】
・一対のアーム２２を、被係止部２３を含んだ各アーム２２の厚みＤ３が、表側案内溝３６及び裏側案内溝３７が形成された領域での挿入口３Ｐの短手方向における開口幅Ｄ４よりも小さく、かつ表側案内溝３６及び裏側案内溝３７の非形成領域での上記短手方向における開口幅Ｄ５よりも大きくなるように形成した。これに限らず、被係止部２３を含んだ各アーム２２の厚みＤ３とは、一対のアーム２２の先端における厚み方向と挿入口３Ｐにおける短手方向とが一致する規定の方式において、一対のアーム２２が挿入口３Ｐに挿入可能な厚みであればよい。この場合でも、上述した上記（１）と同様の効果を得ることは可能である。
【００６４】
・基端位置決めリブ２７又は先端位置決めリブ２８が割愛される構成であっても、上述した（１）〜（５）と同様な効果を得ることは可能である。ちなみに、雌部材３の内側面に凸リブが形成され、雌部材３に雄部材２が連結された状態で一対のアームが該凸リブに押される構成であれば、基端位置決めリブ２７及び先端位置決めリブ２８が割愛される構成であっても、雄部材２のがたつきを軽減させることができる。
【００６５】
・開放口３Ｄにおける係止縁３２Ｓは、左右方向に延びる底縁と挿入方向に延びる側縁とから構成されている。これを変更して、例えばアーム２２の挿入方向、あるいはアーム２２の離脱方向に凸となるように、係止縁３２Ｓが形成されてもよい。
【００６６】
・一対のアーム２２における表側の先端寄りには表側凸部２３Ｆが形成され、且つ一対のアーム２２における裏側の先端寄りには裏側凸部２３Ｂが形成されている。これを変更して、雄部材２と雌部材３とにおける係合箇所が裏側凸部２３Ｂと係止縁３２Ｓとに限られる構成、つまり表側凸部２３Ｆが割愛される構成であってもよい。このような構成であれば、表側凸部２３Ｆの他、表側案内溝３６を割愛することも可能である。そのため、上記（１）に準じた効果を得つつ、雄部材２及び雌部材３の構成を簡単なものにすることが可能である。
【００６７】
・また雄部材２と雌部材３とにおける係合箇所が表側凸部２３Ｆと係止溝３６Ｓとに限られる構成、つまり裏側凸部２３Ｂが割愛される構成であってもよい。このような構成であれば、裏側凸部２３Ｂの他、裏側案内溝３７を割愛することも可能である。そのため、上記（１）に準じた効果を得つつ、雄部材２及び雌部材３の構成を簡単なものにすることが可能である。
【符号の説明】
【００６８】
１…バックル、２…雄部材、３…雌部材、２１…基部、２２、２２ｒ、２２ｌ…アーム、２２Ｓ…アーム係止部、２２Ｉｉ…内側傾斜面、２２Ｉｏ…外側傾斜面、２３…被係止部、２３Ｆ…表側凸部、２３Ｂ…裏側凸部、２４…アーム孔、２４ａ…内周面、２５…ブリッジ、２５ａ…端部、２５ｂ…中間部、２６…ベルト保持部、２７…基端位置決めリブ、２８…先端位置決めリブ、３１…表壁、３１ｐ…表側挿入縁、３１ｄ…表側開口縁、３２…裏壁、３２ｐ…裏側挿入縁、３２ｄ…裏側開口縁、３２Ｓ…係止縁、３Ｐ…挿入口、３Ｄ…開放口、３６…表側案内溝、３６ａ…表側挿入溝、３６Ｓ…係止溝、３７…裏側案内溝、３８…分割壁、３９…ベルト取り付け部、ＷＰ…挿入側連結壁、ＷＤ…開放側連結壁、ＷＤａ…ガイド面、ＳＨ…アーム挿通孔、Ｓｒ…第１収容空間、Ｓｌ…第２収容空間。
【図１】
0005469541.tif 000002
【図２】
0005469541.tif 000003
【図３】
0005469541.tif 000004
【図４】
0005469541.tif 000005
【図５】
0005469541.tif 000006
【図６】
0005469541.tif 000007
【図７】
0005469541.tif 000008
【図８】
0005469541.tif 000009
【図９】
0005469541.tif 000010
【図１０】
0005469541.tif 000011
【図１１】
0005469541.tif 000012